(57)【要約】【課題】無線通信機器の試験において確度の高い試験を行うような環境を提供する。【解決手段】判定部１４は、指定された試験情報を元に受信電波の受信周波数の判定を行って受信周波数が試験対象周波数であるか否かを判断し、受信周波数が試験対象周波数でない場合に、受信周波数が既知の周波数であるか否かを判断する。通信方式推定部１６は、受信周波数が既知の周波数でない場合には、受信周波数に対応する通信方式の推定を行う。妨害状況確認部１７は、受信周波数が既知の周波数である通信方式または推定された通信方式における妨害状況の確認を行う。送信部１８は、妨害状況の確認の結果に基づいて妨害波の送信パワーの調整を行って妨害波を送信する。【選択図】図１
2009188733.tif 000002
【特許請求の範囲】
【請求項１】
無線装置を試験する際に妨害波を送信する試験環境提供装置であって、
所定の周波数を有する妨害すべき電波の通信方式毎に対応して、受信電波の妨害状況を測定する妨害状況確認部と、
前記妨害状況確認部における測定結果に応じた利得を有する前記妨害波を送信する送信部と、
を備えることを特徴とする試験環境提供装置。
【請求項２】
指定された試験情報を元に受信電波の受信周波数の判定を行って受信周波数が試験対象周波数であるか否かを判断し、受信周波数が試験対象周波数でない場合に、受信周波数が既知の周波数であるか否かを判断する判定部と、
前記受信周波数が既知の周波数でない場合には、前記受信周波数に対応する通信方式の推定を行う通信方式推定部と、
を備え、
前記妨害状況確認部は、前記受信周波数が既知の周波数である通信方式または前記推定された通信方式における妨害状況の確認を行い、
前記送信部は、前記妨害状況の確認の結果に基づいて前記妨害波の送信パワーの調整を行って前記妨害波を送信することを特徴とする請求項１記載の試験環境提供装置。
【請求項３】
前記試験環境提供装置の設置場所の種別毎に存在する周波数帯割り当て情報を保持する周波数帯割り当て情報テーブルを備え、
前記通信方式推定部は、外部から設置場所に関する情報を入力し、前記周波数帯割り当て情報テーブルを参照して受信周波数に対応する通信方式の推定を行うことを特徴とする請求項２記載の試験環境提供装置。
【請求項４】
前記妨害状況確認部は、通信方式毎に対応して妨害状況の確認を行うそれぞれの手段を備えることを特徴とする請求項２記載の試験環境提供装置。
【請求項５】
前記判定部は、外部から試験対象周波数の情報を入力し、受信電波の受信周波数が試験対象周波数であるか否かを判断することを特徴とする請求項２記載の試験環境提供装置。
【請求項６】
無線装置を試験する際に試験環境提供装置が妨害波を送信する方法であって、
所定の周波数を有する妨害すべき電波の通信方式毎に対応して、受信電波の妨害状況を測定し、測定結果に応じた利得を有する前記妨害波を送信することを特徴とする試験環境提供方法。
【請求項７】
試験情報を指定するステップと、
前記指定された試験情報を元に受信電波の受信周波数の判定を行うステップと、
前記受信周波数の判定の結果、前記受信周波数が試験対象周波数であるか否かを判断するステップと、
前記受信周波数が試験対象周波数でない場合に、受信周波数が既知の周波数であるか否かを判断するステップと、
前記受信周波数が既知の周波数でない場合に、受信周波数に対応する通信方式の推定を行うステップと、
前記受信周波数が既知の周波数である通信方式または前記推定された通信方式における妨害状況の確認を行うステップと、
前記妨害状況の確認の結果に基づいて前記妨害波の送信パワーの調整を行うステップと、
を含むことを特徴とする請求項６記載の試験環境提供方法。
【発明の詳細な説明】
【技術分野】
【０００１】
本発明は、試験環境提供装置および方法に関し、特に、携帯電話などの無線通信端末を試験する際に試験の対象としたくはない電波が存在する環境においてこの電波を試験非対象化するための技術に関する。
【背景技術】
【０００２】
近年、日本における携帯電話端末の普及率は１人１台というレベルに達し、全世界的には今後も普及率が増加する傾向にある。これに伴い、無線通信機器の試験についての需要も高まり、機器の品質を向上させる為に、確度の高い試験が求められている。このような携帯電話などの無線通信機器を対象とした試験においては、試験対象の無線通信機器と試験対向機（例えば携帯電話の端末を対象とした試験ならば、対向機は基地局シミュレータなどが考えられる）との間の電波通信が正常に行われるかどうかを確認することが重要な確認ポイントになる。
【０００３】
このよう無線通信機器の試験を行う場合、他の無線通信装置の発する電波が、試験に影響を与えてしまうことがありうる。例えば、Ｗ−ＣＤＭＡ通信方式の３Ｇ（第三世代）携帯端末の試験を行う場合、対向機の基地局シミュレータから送信している電波だけを想定した試験を行おうとしても、試験環境の近傍に設置された実運用中の基地局が発する電波を受信してしまって、想定外の試験結果になる虞がある。
【０００４】
このような場合、電波暗室内に試験環境を構築することで試験対象とする特定周波数以外の電波を排除することが可能である。しかし、電波暗室は、一般に高価であり、かつサイズが大きいため、限られた場所に限られた数しか用意できず、試験環境毎に準備したり、ある試験環境だけで占有したりすることが難しい。また、例えば、基地局シミュレータなどの機材が非常に大きい場合など、試験環境が電波暗室内に構築できるとは限らない。
【０００５】
そこで、より安価で小スペースの試験環境を構築する装置が求められ、無線通信機器の試験を行う際に試験の対象としたくはない電波が存在する環境においてこの電波を試験非対象化するように妨害する技術が存在する。
【０００６】
電波を妨害する技術として、携帯電話などの無線通信機器の使用が制限される区域に設置された他局電波遮断装置の受信部により他局からの電波の周波数を定期的に受信する他局電波遮断装置が特許文献１において開示されている。この他局電波遮断装置は、電波の周波数を制御部で認識するとともに他局電波を遮断するための妨害波の周波数を設定し、この設定した周波数帯の妨害波を送信部から送信することにより、区域内でその周波数帯に対してのみ電波の遮断を可能にし、他局の専用網による通信を一切不能にする。
【０００７】
また、特許文献２は、携帯電話が発する電波の医療機器等への影響防止を目的とした、電波送信レベルが微弱かつ小型・安価な構成の装置を開示している。この装置は、広帯域ノイズから妨害したい周波数帯域の成分のみをフィルタで取り出して妨害電波として送信する。
【０００８】
さらに、携帯電話の通話を妨害する目的の妨害電波発生機器が既に市販されている。
【０００９】
【特許文献１】特開２０００−３１６１８１号公報
【特許文献２】特開平１１−５５２２５号公報
【発明の開示】
【発明が解決しようとする課題】
【００１０】
以下の分析は本発明において与えられる。
【００１１】
まず、市販の妨害電波発生機器は、携帯電話の通話を無差別に妨害することを想定しているため、試験対象としたい電波まで妨害されてしまう。
【００１２】
また、特許文献２において、妨害電波を発生させる装置が開示されているが、この装置を使って試験対象としたい電波を取捨選択するための技術については何ら記載されていない。
【００１３】
さらに、特許文献１において、ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）の測定結果から他局電波が存在する周波数を判定し、同周波数の妨害波を送信するように送信部に指示するという内容が記載されている。しかしながら、妨害波の送信電力の決定方法、妨害波によって他局電波が遮断できたかどうかを判定する方法、および他局電波の遮断状態を維持する方法が示されていない。すなわち、どの程度の強さで妨害波を出すかという記載がなく、単にある周波数における信号強度を示しているだけのＲＳＳＩ測定だけでは確実に妨害できたか否かの判定を行うことができない。また、どのようにして妨害状態を維持するかという点についても開示が無い。このため、特許文献１の技術を用いて他局電波を遮断するために妨害波を送信したとしても、無線通信機器の確度の高い試験を行うことが困難である。
【課題を解決するための手段】
【００１４】
本発明の１つのアスペクト（側面）に係る試験環境提供装置は、無線装置を試験する際に妨害波を送信する試験環境提供装置であって、所定の周波数を有する妨害すべき電波の通信方式毎に対応して、受信電波の妨害状況を測定する妨害状況確認部と、妨害状況確認部における測定結果に応じた利得を有する妨害波を送信する送信部と、を備える。
【００１５】
本発明の他のアスペクト（側面）に係る試験環境提供方法は、無線装置を試験する際に試験環境提供装置が妨害波を送信する方法であって、所定の周波数を有する妨害すべき電波の通信方式毎に対応して、受信電波の妨害状況を測定し、測定結果に応じた利得を有する妨害波を送信する。
【発明の効果】
【００１６】
本発明によれば、受信電波の妨害状況を測定し、測定結果に応じた利得を有する妨害波を送信するので、無線通信機器の試験において確度の高い試験を行うような環境を提供することができる。
【発明を実施するための最良の形態】
【００１７】
本発明の実施形態に係る試験環境提供装置は、無線装置を試験する際に妨害波を送信する試験環境提供装置である。この装置は、所定の周波数を有する妨害すべき電波の通信方式毎に対応して、受信電波の妨害状況を測定する妨害状況確認部と、妨害状況確認部における測定結果に応じた利得を有する妨害波を送信する送信部と、を備える。
【００１８】
本発明の試験環境提供装置において、指定された試験情報を元に受信電波の受信周波数の判定を行って受信周波数が試験対象周波数であるか否かを判断し、受信周波数が試験対象周波数でない場合に、受信周波数が既知の周波数であるか否かを判断する判定部と、受信周波数が既知の周波数でない場合には、受信周波数に対応する通信方式の推定を行う通信方式推定部と、を備える。また、妨害状況確認部は、受信周波数が既知の周波数である通信方式または推定された通信方式における妨害状況の確認を行う。さらに、送信部は、妨害状況の確認の結果に基づいて妨害波の送信パワーの調整を行って妨害波を送信するようにしてもよい。
【００１９】
本発明の試験環境提供装置において、試験環境提供装置の設置場所の種別毎に存在する周波数帯割り当て情報を保持する周波数帯割り当て情報テーブルを備え、通信方式推定部は、外部から設置場所に関する情報を入力し、周波数帯割り当て情報テーブルを参照して受信周波数に対応する通信方式の推定を行うようにしてもよい。
【００２０】
本発明の試験環境提供装置において、妨害状況確認部は、通信方式毎に対応して妨害状況の確認を行うそれぞれの手段を備えるようにしてもよい。
【００２１】
本発明の試験環境提供装置において、判定部は、外部から試験対象周波数の情報を入力し、受信電波の受信周波数が試験対象周波数であるか否かを判断するようにしてもよい。
【００２２】
以上のような試験環境提供装置によれば、試験結果に影響を与えない程度に他局電波が妨害されているかどうかを判定し、妨害が不十分な場合には妨害波の送信パワーを再調整することができる。したがって、このような試験環境提供装置を用いることで無線通信機器に対する確度の高い試験を行う環境を提供することができる。
【００２３】
以下、実施例に即し、図面を参照して詳しく説明する。
【実施例１】
【００２４】
図１は、本発明の実施例に係る試験環境提供装置の構成を示すブロック図である。図１において、試験環境提供装置は、受信アンテナ１０、受信部１１、ベースバンド部１２、インタフェース部１３、判定部１４、周波数帯割り当て情報テーブル１５、通信方式推定部１６、妨害状況確認部１７、送信部１８、送信アンテナ２０を備え、送信部１８は、パワー調整部１９を備える。
【００２５】
受信部１１は、受信アンテナ１０を介して受信した電波を復調し、復調信号をベースバンド部１２に出力する。
【００２６】
ベースバンド部１２は、復調信号からベースバンド信号およびＲＳＳＩ測定情報を求め、判定部１４に出力する。
【００２７】
インタフェース部１３は、試験者よって入力される指定情報、すなわち、初期設定における設置場所の情報（例えば“国＝日本”）と、試験時における試験対象としたい周波数の情報とを、それぞれ通信方式推定部１６と判定部１４とに出力する。
【００２８】
判定部１４は、試験対象としたい周波数の情報とＲＳＳＩ測定情報とに基づいて、ベースバンド信号が試験対象となる信号か否か、および既知の信号であるか否かの判定（自局／他局判定）を行い、判定結果に伴うＲＳＳＩ測定情報を通信方式推定部１６に出力する。また、ベースバンド信号を妨害状況確認部１７に出力する。
【００２９】
周波数帯割り当て情報テーブル１５は、国などの設置場所の種別毎に存在する周波数帯割り当て情報を保持し、必要に応じて通信方式推定部１６に与える。
【００３０】
通信方式推定部１６は、初期設定として試験者が指定した設置場所の情報と、ＲＳＳＩ測定情報から得た他局が存在すると思われる周波数とから、他局の通信方式（ＰＨＳ、ＧＳＭ、Ｗ−ＣＤＭＡ、等）を推測し、妨害状況を確認するための方法を選択する機能を有する。すなわち、通信方式推定部１６は、試験非対象かつ今回初めて試験に影響のある電波が検出された周波数について通信方式を推測する。通信方式は、判定部１４から得たＲＳＳＩ測定情報、インタフェース部１３を介して試験者が指定した設置場所の情報、および周波数帯割り当て情報テーブル１５を参照することで推測される。推測結果となる通信方式は、妨害状況確認部１７に通知される。
【００３１】
妨害状況確認部１７は、ベースバンド部１２および判定部１４を介して入力したベースバンド信号に対し、通信方式推定部１６で推測された通信方式に基づいて他局電波の妨害状況を判定し、判定結果を送信部のパワー調整部１９に出力する。妨害状況確認部１７は、各種通信方式（例えば、ＰＨＳ、ＧＳＭ、Ｗ−ＣＤＭＡなど）に対応した判定用の小ブロックを含み、通信方式に応じて、試験非対象周波数の妨害状況を確認する。
【００３２】
例えば、試験非対象がＷ−ＣＤＭＡの場合、対応する小ブロックは、ベースバンド部１２および判定部１４を介して入力したベースバンド信号をマッチドフィルタ（雑音に埋もれている所望信号成分を抽出する装置）で逆拡散し、ＣＰＩＣＨ（Ｃｏｍｍｏｎ  Ｐｉｌｏｔ  Ｃｈａｎｎｅｌ）を検出してＳＩＲ（Ｓｉｇｎａｌ  ｔｏ  Ｉｎｔｅｒｆｅｒｅｎｃｅ  ｐｏｗｅｒ  Ｒａｔｉｏ：信号対干渉雑音電力比）を測定する。そして、該当周波数の電波が試験に影響を与えない程度にＳＩＲ値が十分劣化しているかを判定し、判定結果を送信部１８に通知する。Ｗ−ＣＤＭＡの場合、実信号の平均電力と雑音干渉波電力との比率を示すＳＩＲを使用する方が、より確実な判定が可能である。
【００３３】
また、ＰＨＳの場合、共通制御キャリア（ＢＣＣＨ）が検出できるか否かによって妨害状況を確認する。ＰＨＳでは基地局の存在を確認するために端末が最初に検出しようとする共通制御キャリア（ＢＣＣＨ）が検出できるかどうかで判定することが好ましい。
【００３４】
さらに、ＧＳＭの場合、ＦＢ（Ｆｒｅｑｕｅｎｃｙ  Ｃｏｒｒｅｃｔｉｏｎ  Ｂｕｒｓｔ）やＳＢ（Ｓｙｎｃｈｒｏｎｉｚａｔｉｏｎ  Ｂｕｒｓｔ）が検出できる否かによって妨害状況を確認する。ＧＳＭでは基地局との周波数的、時間的同期を取るために端末が最初に検出しようとするＦＢやＳＢが検出できるかどうかで判定することが好ましい。
【００３５】
パワー調整部１９は、妨害状況確認部１７から通知された判定結果を受け取り、妨害が十分に行われていない場合には、妨害波の送信パワーを増加させて、送信部１８から送信アンテナ２０を介して妨害波を送出する。
【００３６】
次に、試験環境提供装置の動作について説明する。図２は、本発明の実施例に係る試験環境提供装置の動作を表すフローチャートである。
【００３７】
ステップＳ１１において、試験者は、試験環境提供装置に対して、初期設定における設置場所の情報と、試験時における試験対象としたい周波数とを、インタフェース部１３を介して指定する。
【００３８】
ステップＳ１２において、判定部１４は、ベースバンド部１２から入力した受信信号強度の測定結果などから、試験に影響のある電波が検出された周波数について、各種判定を行う。
【００３９】
ステップＳ１３において、試験対象周波数だった場合（ステップＳ１３のＹｅｓ）には、妨害は不要であるので何も行わない。
【００４０】
ステップＳ１３において、試験非対象周波数だった場合（ステップＳ１３のＮｏ）、ステップＳ１４において、既に以前報告を受けている周波数かどうかを判定する。
【００４１】
未知周波数だった場合（ステップＳ１４のＮｏ）、ステップＳ１５において、通信方式推定部１６は、未知周波数に係る通信方式を推定し、ステップＳ１６に進む。
【００４２】
既知周波数だった場合（ステップＳ１４のＹｅｓ）には、既に通信方式が判明しているので、ステップＳ１６において、妨害状況確認部１７は、他局電波の妨害状況を判定する。
【００４３】
ステップＳ１７において、パワー調整部１９は、妨害状況確認部１７から通知された判定結果を受け、妨害が十分に行われていない場合には、妨害波の送信パワーを増加させる。
【００４４】
妨害波が送信されると、試験非対象周波数についてのＲＳＳＩは増加する結果になるので、この周波数は初回検出時以降も常に検出されることになる。
【００４５】
試験環境提供装置は、以上のように動作するので、試験非対象周波数が確実に妨害される状況にまで至り、それ以降は妨害された状態が維持されることになる。
【００４６】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００４７】
【図１】本発明の実施例に係る試験環境提供装置の構成を示すブロック図である。
【図２】本発明の実施例に係る試験環境提供装置の動作を表すフローチャートである。
【符号の説明】
【００４８】
１０  受信アンテナ
１１  受信部
１２  ベースバンド部
１３  インタフェース部
１４  判定部
１５  周波数帯割り当て情報テーブル
１６  通信方式推定部
１７  妨害状況確認部
１８  送信部
１９  パワー調整部
２０  送信アンテナ
【図１】
2009188733.tif 000003
【図２】
2009188733.tif 000004